(57)【特許請求の範囲】
【請求項１】
無線通信システムにおけるサービス特定スケジューリング制御ヘッダー（ＳＳＳＣＨ）を送信する方法であって、
ＳＳＳＣＨタイプ情報とサービス品質（ＱｏＳ）パラメータ変更インジケータとフレームナンバーを含むＳＳＳＣＨを送信するステップを有し、
前記ＳＳＳＣＨタイプ情報は、基地局（ＢＳ）が移動端末機（ＭＳ）にＱｏＳパラメータセットの変更を要請することを示し、
前記ＱｏＳパラメータ変更インジケータは、ＱｏＳパラメータセットが変更されることを示すか、またはＱｏＳパラメータセットの選択を示し、
前記フレームナンバーは、移動端末機が前記ＱｏＳパラメータセットの変更要請に対するＡＣＫ／ＮＡＣＫ（ＡＣＫｎｏｗｌｅｄｇｍｅｎｔ／Ｎｅｇａｔｉｖｅ  ＡＣＫ）を前記ＢＳに送信するフレームナンバーを示すことを特徴とする方法。
【請求項２】
前記ＳＳＳＣＨは、スリープサイクル識別子（ＳＣＩＤ）が変更されるか否かを示すＳＣＩＤ変更インジケータをさらに含むことを特徴とする請求項１に記載の方法。
【請求項３】
前記ＳＣＩＤ変更インジケータが前記ＳＣＩＤの変更を示す場合、前記ＳＳＳＣＨはＳＣＩＤをさらに含むことを特徴とする請求項２に記載の方法。
【請求項４】
前記ＱｏＳパラメータ変更インジケータが前記ＱｏＳパラメータセットの変更を示す場合、前記ＳＳＳＣＨは、未来のリソース割り当てに使用される新たなグラントポーリング区間（ＧＰＩ）情報をさらに含むことを特徴とする請求項１に記載の方法。
【請求項５】
前記ＱｏＳパラメータ変更インジケータが前記ＱｏＳパラメータセットの選択を示し、
前記ＳＳＳＣＨは、プライマリＱｏＳパラメータセットとセカンダリＱｏＳパラメータセットのうちいずれか一つを示すＱｏＳパラメータセットの選択情報をさらに含むことを特徴とする請求項１に記載の方法。
【請求項６】
前記ＳＳＳＣＨは、フロー識別子（ＦＩＤ）情報、メディアアクセス制御（ＭＡＣ）シグナルリングヘッダータイプを表すタイプ情報、及びシグナルリングヘッダーの長さを表す長さ情報をさらに含むことを特徴とする請求項１に記載の方法。
【請求項７】
前記ＳＳＳＣＨを送信するステップは、前記無線通信システムが適応グラントポーリング（ａＧＰ）サービスを提供する場合に遂行されることを特徴とする請求項１に記載の方法。
【請求項８】
無線通信システムにおけるサービス特定スケジューリング制御ヘッダー（ＳＳＳＣＨ）を受信する方法であって、
ＳＳＳＣＨタイプ情報と、サービス品質（ＱｏＳ）パラメータ変更インジケータと、フレームナンバーと、を含むＳＳＳＣＨを受信するステップを有し、
前記ＳＳＳＣＨタイプ情報は、基地局（ＢＳ）が移動端末機（ＭＳ）にＱｏＳパラメータセットの変更を要請することを示し、
前記ＱｏＳパラメータ変更インジケータは、ＱｏＳパラメータセットが変更されることを示すか、またはＱｏＳパラメータセットの選択を示し、
前記フレームナンバーは、移動端末機が前記ＱｏＳパラメータセットの変更要請に対するＡＣＫ／ＮＡＣＫ（ＡＣＫｎｏｗｌｅｄｇｍｅｎｔ／Ｎｅｇａｔｉｖｅ  ＡＣＫ）を前記ＢＳに送信するフレームナンバーを示すことを特徴とする方法。
【請求項９】
前記ＳＳＳＣＨは、スリープサイクル識別子（ＳＣＩＤ）が変更されるか否かを示すＳＣＩＤ変更インジケータをさらに含むことを特徴とする請求項８に記載の方法。
【請求項１０】
前記ＳＣＩＤ変更インジケータが前記ＳＣＩＤの変更を示す場合、前記ＳＳＳＣＨはＳＣＩＤをさらに含むことを特徴とする請求項９に記載の方法。
【請求項１１】
前記ＱｏＳパラメータ変更インジケータが前記ＱｏＳパラメータセットの変更を示す場合、前記ＳＳＳＣＨは、未来のリソース割り当てに使用される新たなグラントポーリング区間（ＧＰＩ）情報をさらに含むことを特徴とする請求項８に記載の方法。
【請求項１２】
前記ＱｏＳパラメータ変更インジケータが前記ＱｏＳパラメータセットの選択を示し、
前記ＳＳＳＣＨは、プライマリＱｏＳパラメータセットとセカンダリＱｏＳパラメータセットのうちいずれか一つを示すＱｏＳパラメータセットの選択情報をさらに含むことを特徴とする請求項８に記載の方法。
【請求項１３】
前記ＳＳＳＣＨは、フロー識別子（ＦＩＤ）情報、メディアアクセス制御（ＭＡＣ）シグナルリングヘッダータイプを表すタイプ情報、及びシグナルリングヘッダーの長さを表す長さ情報をさらに含むことを特徴とする請求項８に記載の方法。
【請求項１４】
前記ＳＳＳＣＨを受信するステップは、前記無線通信システムが適応グラントポーリング（ａＧＰ）サービスを提供する場合に遂行されることを特徴とする請求項８に記載の方法。
【請求項１５】
請求項１乃至７のいずれか１項に記載の方法を遂行するように構成されることを特徴とするサービス特定スケジューリング制御ヘッダー（ＳＳＳＣＨ）送信装置。
【請求項１６】
請求項８乃至１４のいずれか１項に記載の方法を遂行するように構成されることを特徴とするサービス特定スケジューリング制御ヘッダー（ＳＳＳＣＨ）送信装置。
【請求項１７】
前記ＱｏＳパラメータセットの変更要請に対するＡＣＫ／ＮＡＣＫを前記ＢＳに送信するステップをさらに含むことを特徴とする請求項８に記載の方法。
【発明の詳細な説明】
【技術分野】
【０００１】
本発明は、無線通信システムにおけるリソース割り当て方式情報を送信及び受信する方法及び装置に関するものである。
【背景技術】
【０００２】
無線通信システムは、多様な方式によって分類される。全体システムリソースを制御する方法に基づき、無線通信システムは、分散型通信システムと集中型通信システムに分けられる。分散型通信システムの一例としては無線ＬＡＮ(Wireless Local Area Network：ＷＬＡＮ)システムが挙げられ、集中型通信システムの一例としてはセルラーネットワークのようなレガシーシステムが挙げられる。
【０００３】
集中型通信システムにおいて、基地局(ＢＳ)または進化した基地局(ＡＢＳ)は、すべてのリソースを管理する。すなわち、ＢＳは、アップリンクデータの伝送だけでなくダウンリンクデータの伝送のために端末(ＭＳ)にリソースを割り当てる。したがって、ＢＳのサービス領域内の端末のうちアップリンクデータ伝送のためにリソースが割り当てられるＭＳは、そのアップリンクデータを伝送できる。
【０００４】
集中型システムの例は、ＩＥＥＥ(Institute of Electrical and Electronics Engineers)８０２.１６ｍシステム及びＩＥＥＥ８０２.１６ｅシステムを含む。ＩＥＥＥ８０２.１６ｍシステムでは、多様なサービスに要求されるアップリンクデータ形態に対応する多様なアップリンクリソース割り当て方式を提供する。このＩＥＥＥ８０２.１６ｅシステムは、ＵＧＳ(Unsolicited  Grant  Service)、ｒｔＰＳ(real-time  Polling  Service)、ｅｒｔＰＳ(extended  rtPS)、ｎｒｔＰＳ(non-real-time  Polling  Service)、及びＢＥ(Best  Effort)サービスを提供する。このサービス形態に加えて、ＩＥＥＥ８０２.１６ｍシステムは、ａＧＰ(adaptive  Grant  Polling)サービスを提供することができる。
【０００５】
ａＧＰサービスは、リソース割り当て方式である複数のＱｏＳ(Quality  of  Service)パラメータセットが適用可能なデータサービスタイプである。例えば、ＭＳがＶｏＩＰ(Voice  over  Internet  Protocol)サービスを用いて通信を行う場合、ＶｏＩＰサービスは、適用されるオーディオコーデック(CODEC)に従って通話区間(talk  spurt)と無音区間(silence  spurt)に必要なリソース割り当て周期とリソース量が異なる。適応マルチレート(Adaptive  Multi-Rate：ＡＭＲ)オーディオコーデックの場合において、通話区間は２０ｍｓ間隔で４０バイト程度のリソース割り当てが必要であり、無音区間は１６０ｍｓ間隔で１０バイト程度のリソース割り当てが必要である。ＭＳがこのようなＡＭＲオーディオコーデックを用いてアップリンクデータを伝送する場合、無線通信システムにおいて、２個のＱｏＳパラメータセットを用いてリソースを割り当てることで、不必要なリソース割り当てを減少することができる。
【０００６】
特に、ａＧＰサービスは、例えば、通話区間でリソース量及びリソース割り当て周期を含むプライマリ(primary)ＱｏＳパラメータセットと、無音区間のためのリソース量及びリソース割り当て周期を含むセカンダリ(secondary)ＱｏＳパラメータセットを定義する。そのため、２つのリソース割り当て方式(すなわち、２つのＱｏＳパラメータセット)は、通話区間と無音区間に従ってそれぞれ使用される。
【０００７】
新たな接続がＢＳとＭＳとの間の通信のために追加される度に、ＢＳとＭＳは、新たな接続に対するアップリンクリソース割り当て方式を決定する。このために、ダイナミックサービス追加(Dynamic  Service  Addition：ＤＳＡ)メッセージをやり取りして相互に交渉(negotiate)する。ＢＳとＭＳがａＧＰサービスを使用することに合意する場合、ＤＳＡメッセージは、プライマリＱｏＳパラメータセット及びセカンダリＱｏＳパラメータセットを定義する。
【０００８】
このような方式で、ＱｏＳパラメータセットを変更するプロセスは、リソース割り当てに対して決定されなければならない。ＩＥＥＥ８０２.１６ｍシステムでは、ＱｏＳパラメータセットを変更する２つのプロセス、すなわちＭＳによるＱｏＳパラメータセットの変更方法とＢＳによるＱｏＳパラメータセットの変更方法が考えられる。
【０００９】
しかしながら、ＩＥＥＥ８０２.１６ｍシステムでは、リソース割り当て方式の変更に関連した具体的な方法が定義されていない。したがって、無線通信システムにおける具体的なリソース割り当て方法を定義する必要がある。
【発明の概要】
【発明が解決しようとする課題】
【００１０】
したがって、本発明は上記した従来技術の問題点に鑑みてなされたものであって、その目的は、無線通信システムにおけるリソース割り当て方式情報を送信する方法及び装置を提供することにある。
【００１１】
また、本発明の目的は、無線通信システムにおけるリソース割り当て方法及び装置、特に基地局(ＢＳ)でアップリンクリソースを割り当てる具体的な方法及び装置を提供することにある。
【００１２】
本発明の他の目的は、無線通信システムにおける基地局でリソース割り当て方式を変更する方法及び装置を提供することにある。
【００１３】
本発明のもう一つの目的は、無線通信システムにおいて、基地局のリソース割り当てに先立って端末(ＭＳ)と基地局との間のリソース割り当て方式の変更事実を共有することによって、不必要なリソース割り当て又は不足したリソース割り当てによるアップリンクデータ伝送障害を防止する方法及び装置を提供することにある。
【００１４】
さらに、本発明の目的は、無線通信システムにおいて、基地局がアップリンクリソース割り当て方式を変更する場合、端末からリソース割り当て方式変更要求に対する応答を受信するためのリソース割り当て手順を簡素化するリソース割り当て方法及び装置を提供することにある。
【００１５】
なお、本発明の目的は、無線通信システムにおいて、端末にリソースを割り当てるために基地局に必要なメッセージの形式を提供することにある。
【課題を解決するための手段】
【００１６】
上記のような目的を達成するために、本発明の一態様によれば、無線通信システムにおけるサービス特定スケジューリング制御ヘッダー(ＳＳＳＣＨ)を送信する方法が提供される。その方法は、ＳＳＳＣＨタイプ情報とサービス品質(ＱｏＳ)パラメータ変更インジケータを含むＳＳＳＣＨを送信するステップを有し、ＳＳＳＣＨタイプ情報は、ＱｏＳパラメータセット変更要請、ＱｏＳパラメータセット変更要請に対する承認(ＡＣＫ)と、ＱｏＳパラメータセット変更要請に対する拒絶(ＮＡＣＫ)のうち少なくとも一つを示し、ＱｏＳパラメータ変更インジケータは、ＱｏＳパラメータセットが変更されるか否かを示す。
【００１７】
本発明の他の態様によれば、無線通信システムにおけるＳＳＳＣＨを送信する方法が提供される。その方法は、要求されたグラントの最小遅延を表す最小グラント遅延情報と、帯域幅要請(ＢＲ)のサイズを表すＢＲサイズ情報とを含むＳＳＳＣＨを送信するステップを含む。
【００１８】
本発明の他の態様によれば、無線通信システムにおけるＳＳＳＣＨを受信する方法が提供される。その方法は、ＳＳＳＣＨタイプ情報と、ＱｏＳパラメータセット変更インジケータとを含むＳＳＳＣＨを受信するステップを有し、ＳＳＳＣＨタイプ情報は、ＱｏＳパラメータセット変更要請、ＱｏＳパラメータセット変更要請に対するＡＣＫと、ＱｏＳパラメータセット変更要請に対するＮＡＣＫのうち少なくとも一つを示し、ＱｏＳパラメータ変更インジケータは、ＱｏＳパラメータセットが変更されるか否かを示す。
【００１９】
本発明の他の態様によれば、無線通信システムにおけるＳＳＳＣＨを受信する方法が提供される。その方法は、要求されるグラントの最小遅延を表す最小グラント遅延情報と、帯域幅要請(ＢＲ)のサイズを表すＢＲサイズ情報とを含むＳＳＳＣＨを受信するステップを有する。
【００２０】
本発明の他の態様によれば、無線通信システムにおけるＳＳＳＣＨを送信する装置が提供される。この装置は、ＳＳＳＣＨタイプ情報及びＱｏＳパラメータ変更インジケータを含むＳＳＳＣＨを伝送する信号入出力(Ｉ/Ｏ)部を含む。上記ＳＳＳＣＨタイプ情報は、ＱｏＳパラメータセット変更要請、ＱｏＳパラメータセット変更要請に対するＡＣＫ、及びＱｏＳパラメータセット変更要請に対するＮＡＣＫのうち少なくとも一つを示し、ＱｏＳパラメータ変更インジケータは、ＱｏＳパラメータセットが変更されるか否かを示す。
【００２１】
本発明の他の態様によれば、無線通信システムにおけるＳＳＳＣＨを送信する装置が提供される。この装置は、要求されたグラント(grant)の最小遅延を示す最小グラント遅延情報と、帯域幅要請(ＢＲ)のサイズを示すＢＲサイズ情報を含むＳＳＳＣＨを送信する信号入出力部を含む。
【００２２】
本発明の他の態様によれば、無線通信システムにおけるＳＳＳＣＨを受信する装置が提供される。この装置は、ＳＳＳＣＨタイプ情報及びＱｏＳパラメータ変更インジケータを含むＳＳＳＣＨを受信する信号入出力(Ｉ/Ｏ)部を含む。上記ＳＳＳＣＨタイプ情報は、ＱｏＳパラメータセット変更要請、ＱｏＳパラメータセット変更要請に対するＡＣＫ、及びＱｏＳパラメータセット変更要請に対するＮＡＣＫのうち少なくとも一つを示し、ＱｏＳパラメータ変更インジケータは、ＱｏＳパラメータセットが変更されるか否かを示す。
【００２３】
さらに、本発明の他の態様によれば、無線通信システムにおけるＳＳＳＣＨを受信する装置が提供される。この装置は、要求されたグラントの最小遅延を表す最小グラント遅延情報と、ＢＲのサイズを表すＢＲサイズ情報とを含むＳＳＳＣＨを受信する信号入出力部を含む。
【００２４】
本発明の他の態様、利点、及び顕著な特徴は、下記の詳細な説明から当業者には公知であり、詳細な説明は、添付の図面とともに本発明の実施形態を開示する。
【発明の効果】
【００２５】
本発明は、基地局が端末に対するアップリンクリソース割り当て方式を変更する場合、アップリンクリソース割り当て方式の適応は、端末と基地局との間で交渉され得る。したがって、不足したリソース割り当て又は不必要なリソース割り当てのような基地局と端末との誤動作を防止することができる。
【００２６】
また、本発明は、無線通信システムにおいて、基地局が端末に対するアップリンクリソース割り当て方式を変更する場合、基地局は、予めリソース割り当て方式変更通知に対する応答メッセージを送信するためのアップリンクリソースを端末に通知し、それによってリソース割り当てのための追加的なメッセージ交換の必要性を除去する。その結果、リソース割り当て手順が簡素化することができる。
【００２７】
また、本発明で提案されるメッセージは、端末がリソース割り当て方式を要請する場合にも使用可能である。したがって、端末と基地局は両方とも、提案されたメッセージを用いてリソース割り当て方式の変更を要求することで、効率的にリソース割り当てを達成することができる。
【００２８】
本発明は、いくつかの実施形態を参照して説明したが、特許請求の範囲の記載及びこれと均等なものに基づいて定められる本発明の範囲及び精神を逸脱することなく、形式や詳細の様々な変更が可能であることは、当該技術分野における通常の知識を持つ者には明らかである。
【００２９】
本発明による実施形態の上記及び他の態様、特徴、及び利点は、添付の図面と共に述べる以下の詳細な説明から、一層明らかになるはずである。
【図面の簡単な説明】
【００３０】
【図１】本発明の一実施形態による無線通信システムにおいて、端末(ＭＳ)によりリソース割り当て方式を変更する場合に基地局(ＢＳ)と端末との間のメッセージフローを示す図である。
【図２】本発明の一実施形態による無線通信システムにおいて、基地局によりリソース割り当て方式を変更する際に基地局と端末との間のメッセージフローを示す図である。
【図３】本発明の一実施形態による無線通信システムにおける基地局のリソース割り当て方法を示すフローチャートである。
【図４】本発明の他の実施形態による無線通信システムにおける基地局のリソース割り当て方法を示すフローチャートである。
【図５】本発明の一実施形態による無線通信システムにおける端末のリソース割り当て方法を示すフローチャートである。
【図６】本発明のもう一つの実施形態による無線通信システムにおける端末のリソース割り当て方法を示すフローチャートである。
【発明を実施するための形態】
【００３１】
以下、本発明の望ましい実施形態を添付の図面を参照して詳細に説明する。
【００３２】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００３３】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかであ
【００３４】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面(a  component  surface)”との記載は一つ又は複数の表面を含む。
【００３５】
本発明の実施形態により、無線通信システムは、すべてのリソースの割り当てが基地局により遂行される集中型(centralized)無線通信システムである。また、無線通信システムの代表的な例として、ＩＥＥＥ８０２.１６ｍシステムが挙げられる。しかしながら、本発明は、これに限定されず、集中型方式でリソースを管理するいかなる無線通信システムにも適用することができる。
【００３６】
前述したように、ＩＥＥＥ８０２.１６ｍシステムでは、リソース割り当て方式に対応してＱｏＳパラメータセットを変更するために、２つの方法が採用される。第１の方法は、ＭＳによりＱｏＳパラメータセットの変更がなされる方法(AMS-initiated  adaption)であり、第２の方法は、基地局によりＱｏＳパラメータセットの変更がなされる方法(ABS-initiated  adaption)である。
【００３７】
ます、ＩＥＥＥ８０２.１６ｍシステムにおいて、端末によりＱｏＳパラメータセットを変更する方法について説明する。
【００３８】
図１は、本発明の一実施形態による無線通信システムにおいて、端末によりリソース割り当て方式を変更するＢＳとＭＳとの間のメッセージフローを示す。
【００３９】
図１を参照すると、適応グラントポーリング(adaptive  Grant Polling：ａＧＰ)サービスにより割り当てられたリソースでアップリンクデータを送信するＭＳ１０１は、バッファ状態をチェックする(１０５)。ＭＳ１０１がバッファ状態に従ってＱｏＳパラメータセットを変更する必要があると判断する場合、ＭＳ１０１は、ＱｏＳパラメータセット変更要請メッセージをＢＳ１０３に伝送する(１０７)。ＱｏＳパラメータセットは、割り当てられるリソース量、リソース割り当て周期、他の類似したパラメータを規定するリソース割り当て方式の一例である。本発明の実施形態において、ＱｏＳパラメータセット変更要請メッセージは、リソース割り当て方式変更要請メッセージの一例である。しかしながら、本発明は、これに限定されるものではなく、多様な形態のメッセージがリソース割り当て方式変更要請メッセージとして使用することができる。
【００４０】
ＱｏＳパラメータセット変更要請メッセージを受信すると、ＢＳ１０３は、ＱｏＳパラメータセット変更要請を確認するために、確認メッセージをＭＳ１０１に伝送する(１０９)。確認メッセージは、今後リソース割り当てに使用されるリソース割り当て方式(すなわち、ＱｏＳパラメータセット)に関する情報を含む。その後、ＢＳ１０３は、変更されたＱｏＳパラメータセットによってアップリンクリソースをＭＳ１０１に割り当てる(１１１)。
【００４１】
前述のように、ＩＥＥＥ８０２.１６ｍシステムにおいて他のＱｏＳパラメータセット適応方法は、ＢＳによりＱｏＳパラメータセットの変更を要請してリソースを割り当てる方法であって、以下に説明する。
【００４２】
ＢＳが、現在のＱｏＳパラメータセットに従ってＭＳに割り当てられたアップリンクリソースを通じてＭＳからデータを受信しない場合、あるいはＢＳがＭＳからアップリンクデータ送信に対する追加リソースを要請するメッセージを受信する場合に、ＢＳは、ＱｏＳパラメータセットで自立的に変更を開始する。
【００４３】
ＢＳによりＱｏＳパラメータセットの変更を決定してリソース割り当て方式を変更する場合、ＢＳと接続が設定されているＭＳは、ＢＳのＱｏＳパラメータセット変更が通知されずに誤動作が発生することがある。例えば、ＢＳにより割り当てられたアップリンクリソースを通じてＭＳからアップリンクデータが受信されないため、ＢＳは、ＱｏＳパラメータセットの変更を開始すると仮定する。
【００４４】
頻繁に大量のデータを伝送するサービスに適合したリソース割り当て方式であるプライマリＱｏＳパラメータセットにより伝送され、ＭＳがＢＳに伝送するデータに誤りが発生する場合、ＢＳは、端末からデータを受信しない。しかしながら、ＢＳは、データ受信の失敗がデータの伝送中に誤りが送信されたためであるか、あるいはＭＳからＢＳにデータを伝送しないためであるかを判断できない。その後、ＢＳは、既存のＱｏＳパラメータセットによってＭＳに割り当てられたリソースがＭＳにより使用されないと判断するので、現在のリソース割り当て方式を他のリソース割り当て方式に変更してＭＳに減少した量のリソースを割り当てる。例えば、ＢＳは、現在のプライマリＱｏＳパラメータセットをセカンダリＱｏＳパラメータセットに変更してアップリンクリソースをＭＳにまばらに割り当てることができる。
【００４５】
しかしながら、ＢＳがデータの伝送中に伝送誤りによってデータを受信しない場合、ＭＳは、相変らずプライマリＱｏＳパラメータセットに基づいたリソース割り当てを必要とする。したがって、ＭＳは、バッファにアップリンクデータが蓄積されるが、このアップリンクデータを伝送しない状況が発生する。このような誤動作の発生は、ＭＳが基地局のＱｏＳパラメータセットの変更を知らず、すなわち、ＢＳによるＱｏＳパラメータセット適応は、ＢＳとＭＳとの間の交渉なしに遂行されるためである。
【００４６】
図２は、本発明の一実施形態による無線通信システムにおいて、ＢＳによるリソース割り当て方式の変更動作のためにＢＳとＭＳとの間のメッセージフローを示す。
【００４７】
図２を参照すると、ＢＳ２０３は、現在のＱｏＳパラメータセットに基づいてＭＳ２０１にアップリンクリソースを割り当てる(２０５)。ＭＳ２０１は、割り当てられたアップリンクリソースを通じてデータをＢＳ２０３に送信する(２０７)。ＢＳ２０３が割り当てられたアップリンクリソースを通じてＭＳ２０１からデータを受信しない場合、あるいはＢＳ２０３がＭＳ２０１から追加リソースを要求するメッセージの受信のような変更を検出する場合、ＢＳ２０３は、端末２０１に割り当てられたリソースが変更されると判定する(２０９)。すると、ＢＳ２０３は、リソース割り当てメッセージとＱｏＳパラメータセット変更要請をＭＳ２０１に送信する(２１１)。
【００４８】
リソース割り当てメッセージとＱｏＳパラメータセット変更要請を受信すると、ＭＳ２０１は、ＱｏＳパラメータセットを変更する必要性があるか否かを判定し、リソース割り当てメッセージとＱｏＳパラメータセット変更要請に対する応答メッセージをＢＳ２０３に送信する(２１３)。応答メッセージが受信される場合、ＢＳ２０３は、ＱｏＳパラメータセットを変更し、変更したＱｏＳパラメータセットに従ってアップリンクリソースをＭＳに割り当てる(２１５)。すなわち、ＢＳ２０３は、ステップ２１３以後に、ＭＳから応答メッセージを受信する場合にＱｏＳパラメータセットの適応に同意すると判断し、リソース割り当て方式を変更することができ、それによって、間違ったリソース割り当て方式の適応による誤作動を防止するようになる。
【００４９】
ＭＳ２０１により送信される応答メッセージは、承認(Acknowledge：ＡＣＫ)メッセージ又は拒絶(Negative  ACK：ＮＡＣＫ)メッセージであり得る。ＢＳ２０３は、端末２０１からＡＣＫメッセージを受信した後にＱｏＳパラメータセットを変更することができる。すなわち、ＭＳ２０１からＮＡＣＫメッセージを受信する場合、ＢＳ２０３は、端末２０１がＱｏＳパラメータセット適応に同意しないことが明確にわかる。そのため、間違ったリソース割り当て方式適応による誤作動を防ぐことができる。
【００５０】
ＱｏＳパラメータセット変更要請メッセージは、ＭＳ２０１を考慮してリソース割り当て情報を包含して、ＢＳ２０３に応答メッセージを伝送することができる。例えば、リソース割り当て情報は、応答メッセージのアップリンク送信のために割り当てられたリソースのフレームナンバーインデックスの最下位ビット(Least  Significant  Bit：ＬＳＢ)に含めることができる。応答メッセージはアップリンクメッセージであるため、アップリンクリソースは、応答メッセージの送信のために割り当てられなければならない。ＱｏＳパラメータセット変更要請メッセージをＭＳに送信する場合、ＢＳは、ＭＳから応答メッセージを受信すると予想し、応答メッセージのためのリソースを割り当て、そのため、割り当てられたリソースに関する情報(すなわち、リソース割り当て情報)を要請メッセージに含める。すると、ＭＳは、応答メッセージの送信に必要なリソース割り当て情報をすぐ獲得でき、リソース割り当て情報に基づいて応答メッセージを送信できる。これは、応答メッセージの送信のために別途にリソースを要請する面倒な手順、すなわちＭＳによりＢＳにリソース要請信号を送信し、ＢＳによりＭＳにリソース割り当て情報を割り当てて送信する追加的な手順を省略できるようになる。
【００５１】
ＱｏＳパラメータセット変更要請メッセージ及びＱｏＳパラメータセット変更要請メッセージに対する応答メッセージの各々は、サービス特定スケジューリング制御ヘッダー(Service  Specific  Scheduling  Control  Header：ＳＳＳＣＨ)の形態を有することができる。以下、ＳＳＳＣＨの特徴について説明する。
【００５２】
＜表１＞は、本発明の一実施形態によるＳＳＳＣＨメッセージのフォーマットを示す。
【００５３】
【表１】
0005565987.tif 000002
【００５４】
【表２】
0005565987.tif 000003
ＳＳＳＣＨメッセージは、リソース割り当てのためにＢＳとＭＳとの間で交換される。すなわち、各ＳＳＳＣＨメッセージは、‘ＦＩＤ’、‘Ｔｙｐｅ’、‘Ｌｅｎｇｔｈ’、‘ＢＲ  ｔｙｐｅ’、‘ＢＲ  ｓｉｚｅ’、及び‘ＢＲ  ＦＩＤ’の属性を含む。ＭＳがａＧＰサービスタイプのリソース割り当てを使用する場合、ＳＳＳＣＨメッセージは、‘ＱｏＳ  Ｐａｒａｍｅｔｅｒ  ｃｈａｎｇｅ  ｉｎｄｉｃａｔｏｒ’、‘ＳＣＩＤ  ｃｈａｎｇｅ  ｉｎｄｉｃａｔｏｒ’、及び‘ＳＳＳＣＨ  ｔｙｐｅ’の属性を含む。ＳＳＳＣＨメッセージがＢＳにより送信されるＱｏＳパラメータ変更要請メッセージである場合、ＳＳＳＣＨメッセージは、‘ＬＳＢ  ｏｆ  ｆｒａｍｅ  ｎｕｍｂｅｒ  ｉｎｄｅｘ’のＬＳＢの属性を選択的に含む。さらに、ＳＳＳＣＨメッセージは、‘Ｒｕｎｎｉｎｇ  Ｇｒａｎｔ  Ｐｏｌｌｉｎｇ  Ｉｎｔｅｒｖａｌ’、‘ＱｏＳ  ｐａｒａｍｅｔｅｒ  ｓｅｔ  ｓｗｉｔｃｈ’、‘ＳＣＩＤ’、‘Ｍｉｎｉｍｕｍ  ｇｒａｎｔ  ｄｅｌａｙ’、‘Ｐａｄｄｉｎｇ’の属性を含むことができる。
【００５５】
‘ＳＳＳＣＨ  ｔｙｐｅ’は、ＳＳＳＣＨが要請メッセージとして使用されるか、あるいは応答メッセージとして使用されるかを示す。すなわち、＜表１＞で説明するＳＳＳＣＨメッセージは、図１に示したように、ＭＳがＱｏＳパラメータセットの変更を要請する場合と、図２に示したように、ＢＳがＱｏＳパラメータセットの変更を要請する場合に使われることができる。すなわち、ＢＳ又はＭＳがＱｏＳパラメータセットの変更を要請する場合、ＢＳ又はＭＳは、ＳＳＳＣＨ  ｔｙｐｅを有するＳＳＳＣＨを‘０ｂ００’に設定して送信する。受信されたＳＳＳＣＨに対する応答メッセージとして、ＳＳＳＣＨ  ｔｙｐｅを有するＳＳＳＣＨは、要請を承認するために‘０ｂ０１’に設定され、あるいは送信された要請を拒絶するために‘０ｂ１０’に設定される。
【００５６】
ＳＳＳＣＨメッセージがＱｏＳパラメータセットの変更を要請するＢＳにより要請メッセージとして使用される場合、ＳＳＳＣＨメッセージは、フレームナンバーインデックスのＬＳＢを含む。‘ＬＳＢ  ｏｆ  ｆｒａｍｅ  ｎｕｍｂｅｒ  ｉｎｄｅｘ’は、要請メッセージに対する応答メッセージとしてＳＳＳＣＨメッセージをアップリンクに伝送するのに必要なリソース割り当て情報を提供する。＜表１＞において、ＢＥはベストエフォート(Best  Effort)を、ＭＡＣはメディアアクセス制御(Medium  Access  Control)を、各々表す。
【００５７】
ＳＳＳＣＨメッセージに含まれる他の属性に関する説明は、ここでは、本発明の目的の簡潔さのために省略する。
【００５８】
図３は、本発明の一実施形態による無線通信システムにおけるＢＳのリソース割り当て方法を示すフローチャートである。
【００５９】
図３を参照すると、ＢＳは、ステップ３０１において、ＭＳとの通信中にリソース割り当て方式が変更されるか否かを判定する。例えば、割り当てられたリソースを通じてＭＳから受信されるデータがなく、あるいはＭＳから追加リソースを要請するメッセージが受信されるなど変更が検出されると、ＢＳは、リソース割り当て方式が変更されると判定する。
【００６０】
リソース割り当て方式が変更されると判定した後、ＢＳは、ステップ３０３で、ＭＳにリソース割り当て方式変更要請メッセージを送信する。選択的に、ＢＳがＩＥＥＥ８０２.１６ｍシステムでａＧＰサービスを提供する場合、ＢＳは、ＭＳにＱｏＳパラメータセット変更要請メッセージを送信でき、ＱｏＳパラメータセット変更要請メッセージは、ＳＳＳＣＨメッセージの形態で構成できる。
【００６１】
ＢＳは、ステップ３０５で、ＭＳからの要請メッセージに対する応答メッセージを待機する。ＭＳから応答メッセージを受信する場合、ＢＳは、ＭＳがリソース割り当て方式の変更を承認したと判断し、ステップ３０７において、リソース割り当て方式を変更し、変更されたリソース割り当て方式によってリソースをＭＳに割り当てる。
【００６２】
図４は、本発明のもう一つの実施形態による無線通信システムにおけるＢＳのリソース割り当て方法を示すフローチャートである。
【００６３】
図４を参照すると、ＢＳは、ステップ４０１で、ＭＳと呼設定を遂行する。本発明の実施形態において、ＢＳは、ＩＥＥＥ８０２.１６ｍシステムでリソース割り当て方式として複数のＱｏＳパラメータセットを用いてａＧＰサービスを提供することができる。次に、ステップ４０３において、ＢＳは、現在のリソース割り当て方式によってＭＳにアップリンクリソースを割り当てる。
【００６４】
ＢＳは、ステップ４０５で、割り当てられたリソースを通じてＭＳからデータを受信し、ステップ４０７で、受信されたデータに従ってリソース割り当て方式を変更するか否かを決定する。例えば、ＢＳが受信したデータにユーザーデータの不在、あるいはＭＳから追加リソースを要求するメッセージの受信のような変更を検出する場合、ＢＳは、リソース割り当て方式が変更されると判定する。
【００６５】
一方、ＢＳがリソース割り当て方式の変更が不要であると判定する場合、ＢＳは、ステップ４０３に戻り、現在のリソースを割り当て方式によってリソースを割り当てる。リソース割り当て方式の変更が必要であると判定されると、ＢＳは、ステップ４０９で、ＭＳにリソース割り当て方式変更要請メッセージを伝送する。ＢＳが要請メッセージに対応してＭＳから応答メッセージ(すなわち、ＡＣＫメッセージ又はＮＡＣＫメッセージ)の受信が予想されるため、ＢＳは、予め応答メッセージに対してＭＳにアップリンクリソースを割り当て、予想される応答メッセージの送信のために割り当てられたアップリンクリソースに関するリソース割り当て情報を要請メッセージに含む。
【００６６】
ＢＳは、ステップ４１１及び４１５で、ＭＳから応答メッセージの受信を待機する。応答メッセージとしてＡＣＫメッセージを受信すると、ＢＳは、ステップ４１３で、リソース割り当て方式を変更し、ステップ４０９で、要求されるリソース割り当て方式の変更に従ってリソースを割り当てる。一方、応答メッセージとしてＮＡＣＫメッセージを受信すると、ＢＳは、ステップ４０３で、現在のリソース割り当て方式に従ってリソースを割り当てる。一方、ＢＳがＡＣＫメッセージ又はＮＡＣＫメッセージのような応答メッセージを所定時間後に受信しない場合、ＢＳは、ステップ４０９で応答メッセージを受信しなかったと判断し、リソース割り当て方式変更要請メッセージをＭＳに再伝送し、その後に、要請メッセージに対する応答メッセージの受信を待機する。
【００６７】
ＢＳは、すべてのリソース割り当てを管理するリソース割り当て制御部と、信号の無線送受信処理を担当する無線信号プロセッサを含むことができる。図３及び図４に示した動作は、ＢＳのリソース割り当て制御部により実現できる。リソース割り当て制御部は、制御部と信号入出力(Ｉ/Ｏ)部を含むことができる。制御部は、図３及び図４のリソース割り当て方法の全体的な動作を制御し、信号入出力部は、制御部と複数のメッセージとデータの入出力を遂行する。したがって、ＢＳは、ＳＳＳＣＨ送信装置及びＳＳＳＣＨ受信装置両方ともとなり得る。
【００６８】
図５は、本発明の一実施形態による無線通信システムにおけるＭＳのリソース割り当て方法を示すフローチャートである。
【００６９】
図５を参照すると、ＭＳは、ステップ５０１で、ＢＳと呼設定中にＢＳからリソース割り当て方式変更要請メッセージを受信する。ＭＳは、ＩＥＥＥ８０２.１６ｍシステムでリソース割り当て方式として複数のＱｏＳパラメータセットを用いるａＧＰサービスを受信することができる。しかしながら、本発明の態様は、これに限定されるものではなく、他の適切なリソース割り当て方式が使用され得る。
【００７０】
ステップ５０３において、ＭＳは、受信した要請メッセージに対する応答メッセージをＢＳに送信する。この応答メッセージを受信すると、ＢＳは、端末がリソース割り当て方式の変更に同意したと判断し、新たなリソース割り当て方式によってリソースをＭＳに割り当てる。したがって、ＭＳは、ステップ５０５で、リソース割り当て方式変更要請メッセージにより指示される新たなリソース割り当て方式により割り当てられるリソースを通じてアップリンクユーザーデータを送信する。
【００７１】
図６は、本発明のもう一つの実施形態による無線通信システムにおけるＭＳのリソース割り当て方法を示すフローチャートである。
【００７２】
図６を参照すると、ＭＳは、ステップ６０１において、ＢＳと呼設定中にＢＳからリソース割り当て方式変更要請メッセージを受信する。ＭＳは、ＩＥＥＥ８０２.１６ｍシステムでリソース割り当て方式として複数のＱｏＳパラメータセットを用いるａＧＰサービスを受信することができる。
【００７３】
要請メッセージは、ＢＳにより要求される新たなリソース割り当て方式に関する情報を含む。したがって、この要請メッセージを受信すると、ステップ６０３において、ＭＳは、現在のサービスタイプ、バッファ状態、伝送されるデータ量、及び他の類似した要素を考慮して、リソース割り当て方式がＢＳにより要求される新たなリソース割り当て方式に変更されるか否かを判定する。
【００７４】
ＭＳが新たなリソース割り当て方式に変更されると判定される場合、ＭＳは、ステップ６０５で、上記要請メッセージに対応してＡＣＫメッセージをＢＳに送信する。すると、ＭＳは、ステップ６０９で、新たなリソース割り当て方式によって割り当てられたリソースを通じてユーザーデータをＢＳに送信する。
【００７５】
一方、ＭＳが新たなリソース割り当て方式に変更しないと判定される場合には、ＭＳは、ステップ６０７で、要請メッセージに応答してＮＡＣＫメッセージをＢＳに送信し、ステップ６１１で、現在のリソース割り当て方式に従って割り当てられたリソースを通じてユーザーデータをＢＳに送信する。
【００７６】
選択的に、ステップ６０５及び６０７において、ＭＳは、応答メッセージを要請メッセージに含まれたリソース割り当て情報が指示するアップリンクリソースを通じて送信する。リソース割り当て情報は、応答メッセージの送信のためにＢＳが予め割り当てられたアップリンクリソースを表現する。
【００７７】
本発明のすべての態様で要求されないが、ＭＳは、データ通信のための全体的な動作を管理する制御部及び信号の無線送受信処理を担当する信号入出力(Ｉ/Ｏ)部を含むことができる。図５及び図６の動作は、ＭＳの制御部により実現され得る。制御部は、図５及び図６のリソース割り当て方法の全体的な動作を制御し、信号入出力部は、制御部と複数のメッセージ及びデータの入出力を遂行する。従って、ＭＳは、ＳＳＳＣＨ送信装置とＳＳＳＣＨ受信装置両方ともとなり得る。
【００７８】
図１及び図２に示したメッセージフローと、図３〜図６に示したフローチャートは、本発明の範囲及び精神に限定するものでないことに留意すべきである。図３〜図６のリソース割り当て方法は、制御部(図示せず)とＭＳの実施形態である。これら方法は、すべてのステップを含み、あるいは特定装置により個別的に遂行されることができない。さらに、この方法は、一つの装置又は構成要素により実現することができる。
【００７９】
上述した動作は、プログラムコードを格納するメモリ装置を制御部又は端末の構成部に提供することで実現できる。すなわち、制御部又は端末の各構成部は、プロセッサ又はＣＰＵ(Central Processing Unit)によってメモリからプログラムコードを読み取って実行することで、上記動作を遂行することができる。
【００８０】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００８１】
１０１、２０１  ＭＳ
１０３、２０３  ＢＳ
【図１】
0005565987.tif 000004
【図２】
0005565987.tif 000005
【図３】
0005565987.tif 000006
【図４】
0005565987.tif 000007
【図５】
0005565987.tif 000008
【図６】
0005565987.tif 000009